(57)【要約】【課題】意匠性を向上させたラッチ機構を有する建具を提供すること。【解決手段】枠体２と、室内側に開閉するように枠体２の内周側に保持された障子３と、を有する内倒し窓１であって、障子３の框３０を枠体２に係合させるラッチ機構５を備え、ラッチ機構５は、枠体２に対する障子３の係合を解除する操作部５３を有し、操作部５３は、框３０の室内側見込面に配置され、框３０の外側から押し込み操作により操作されて、係合を解除する内倒し窓である。【選択図】図５
2019157596.tif 000002
【特許請求の範囲】
【請求項１】
枠体と、室内側に開閉するように前記枠体の内周側に保持された障子と、を有する建具であって、
前記障子の框を前記枠体に係合させるラッチ機構を備え、
前記ラッチ機構は、前記枠体に対する前記障子の係合を解除する操作部を有し、
前記操作部は、前記框の室内側見込面に配置され、前記框の外側から押し込み操作により操作されて、前記係合を解除する建具。
【請求項２】
前記ラッチ機構には、前記押し込み操作をされた状態で、前記框の室外側面に対向する見付面を有する凹部が形成される請求項１に記載の建具。
【請求項３】
前記建具は、内倒し窓である、請求項１又は２に記載の建具。
【発明の詳細な説明】
【技術分野】
【０００１】
本発明は、建具に関する。
【背景技術】
【０００２】
従来、室内側へ開く障子を有する建具において、障子を閉じている間、室内側に倒れて意図せずに開くことのないように、障子を枠体に係合させるラッチ機構を設けることが知られている。具体的には、障子の上框の上部と、枠体の上枠の下面との間に互いに係合する部品を設け、障子を閉じている間、上枠と上框側とを係合させる建具が提案されている（例えば、特許文献１参照）。
【先行技術文献】
【特許文献】
【０００３】
【特許文献１】特開２００６−２２６０１８号公報
【発明の概要】
【発明が解決しようとする課題】
【０００４】
ラッチ機構を上框の上部に設けると、ラッチ機構を操作する部分が框から突出し、室内側からラッチ機構が視認されることとなる。このため、建具の意匠性を向上させることが難しかった。
【０００５】
意匠性を向上させたラッチ機構を有する建具を提供することを目的とする。
【課題を解決するための手段】
【０００６】
本発明は、枠体（例えば、後述の枠体２）と、室内側に開閉するように前記枠体の内周側に保持された障子（例えば、後述の障子３）と、を有する建具（例えば、後述の内倒し窓１）であって、前記障子の框（例えば、後述の框３０）を前記枠体に係合させるラッチ機構（例えば、後述のラッチ機構５）を備え、前記ラッチ機構は、前記枠体に対する前記障子の係合を解除する操作部（例えば、後述の操作部５３）を有し、前記操作部は、前記框の室内側見込面に配置され、前記框の外側から押し込み操作により操作されて、前記係合を解除する建具に関する。
【０００７】
前記ラッチ機構には、前記押し込み操作をされた状態で、前記框の室外側面に対向する見付面を有する凹部（例えば、後述の凹部５６）が形成されることが好ましい。
【０００８】
前記建具は、内倒し窓であることが好ましい。
【発明の効果】
【０００９】
本発明によれば、意匠性を向上させたラッチ機構を有する建具を提供することができる。
【図面の簡単な説明】
【００１０】
【図１】本実施形態の内倒し窓を示す正面図である。
【図２】本実施形態の内倒し窓の縦断面図である。
【図３】本実施形態の内倒し窓の横断面図である。
【図４】本実施形態の気密ピースを示し、（ａ）図は斜視図、（ｂ）図は、側面図、（ｃ）図は正面図である。
【図５】本実施形態のラッチ機構を示す模式図であり、（ａ）図は、施錠時の状態を示し、（ｂ）図はラッチが解除された時の状態を示す。
【発明を実施するための形態】
【００１１】
以下、本発明の実施形態について、図面を参照しながら詳細に説明する。
図１は、本実施形態の建具としての内倒し窓１を示す正面図である。内倒し窓１は、枠体２と、障子３と、枠体２及び障子３を連結する連結金具としての開閉アーム４と、障子３を閉じた状態で枠体２に係止させるラッチ機構５と、を有する。また、内倒し窓１の内部の各所には、気密材６（図２、図３参照）が配置され、室外側からの雨水や風等が室内に入りこむことを防止する。
【００１２】
枠体２は、建物の壁等に形成された開口部に取り付けられる。枠体２は、一対の縦枠２１と、上枠２２と、下枠２３とを有し、四角形に枠組みされる。
【００１３】
図２は、内倒し窓１の縦断面図である。
上枠２２は、図２に示すように、開口部の上部で見付方向に延びるように取り付けられる形材である。上枠２２は、上部が開放された断面視略コ字状の凹部を有し、開放された凹部側が建物の開口部に面し、凹部の底面側が枠体２の内周側を形成している。上枠２２の下端部からは、室内側延出片２２ａ及び室外側延出片２２ｂがそれぞれ下方に延びている。室内側延出片２２ａの下端部には第１気密材６１が、室外側延出片２３ｂには第２気密材６２が取り付けられる。なお、第１気密材６１〜第５気密材６５等の気密材６については後述する。
【００１４】
下枠２３は、下枠本体２３１と、支軸部２３２と、室外側垂壁部２３３とを有する。
下枠本体２３１は、開口部の下部で見付方向に延び、断面視略四角形に形成される。
支軸部２３２は、下枠本体２３１の上面から上方に向かって折れ曲がりながら延び、先端が曲面を形成するように曲げられている。この曲面の上表面が、障子３を回動可能に軸支する。支軸部２３２は、下枠本体２３１に沿って見付方向に延びる。
室外側垂壁部２３３は、下枠本体２３１の室外側の面の上端部からさらに上方に突出するとともに、下枠本体２４１の室外側の面の下端部を越えて下垂し、室外側へ屈曲する。室外側垂壁部２３３の上端には、障子３との間の隙間を封止する第５気密材６５が取り付けられる。室外側垂壁部２３３の下端部は、上枠２２の最も室外側の面から下方に延ばした仮想延長線上で上方に向かって屈曲する。室外側垂壁部２３３の下端部は、障子３と接触しておらず、障子３の下端部との間に隙間Ｓを空けて配置されている。
【００１５】
図３は、内倒し窓１の横断面図である。
一対の縦枠２１は、図３に示すように、内倒し窓１の見付方向の両端部に配置される。縦枠２１は、外側見込面２１１と、室外側見付面２１２と、室外側延出片２１３と、室内側見付部２１４と、を有する。
【００１６】
外側見込面２１１は、縦枠２１の見込方向一杯に延びる平坦な面である。外側見込面２１１は、内倒し窓１の見込方向の寸法を規定する。
【００１７】
室外側見付面２１２は、外側見込面２１１の室外側の端部から室内側に向かって延びる延出面である。室外側見付面２１２の先端部には、障子３との間を封止する第３気密材６３が取り付けられている。
【００１８】
室外側延出片２１３は、外側見込面２１１から見付方向内側に向かって延び、かつ、室外側見付面２１２と略平行に配置される室内側見付面である。室外側延出片２１３の先端部には、障子３との間を封止する第４気密材６４が取り付けられている。
【００１９】
室内側見付部２１４は、外側見込面２１１の室内側の端部から見付方向室内側に向かって延び、見付方向内側の端部から室外側に屈曲することで形成される断面視Ｌ字型の部分である。室内側見付部２１４の見付方向内側の端部は、障子３の見付方向外側の端部と所定の隙間を開けた位置に位置している。
【００２０】
障子３は、室内側に開閉するように枠体２の内周側に保持され、室内側へ向かって開閉可能に取り付けられる。障子３は、ガラス３５及びガラス３５の周囲に配置される框３０を有し、内部に気密材６及び気密ピース６０が取付けられる。
【００２１】
ガラス３５は、正面視同形の室外側ガラス３５ａ及び室内側ガラス３５ｂが、見込方向に間隔を空けて配置される複層ガラスである。室外側ガラス３５ａ及び室内側ガラス３５ｂの間には、スペーサー３５ｃが配置されている。
【００２２】
框３０は、一対の縦框３１と、上框３２と、下框３３と、ガラス保持溝３６を有する。一対の縦框３１、上框３２及び下框３３は、枠体２の内周側に配置され、四角形に枠組みされる。
【００２３】
ガラス保持溝３６は、一対の縦框３１、上框３２、下框３３で構成される框３０の枠の内周側に形成される。ガラス保持溝３６は、以下に説明するように縦框３１、上框３２、下框３３の一部が内周方向に開口した凹部により形成され、内部にガラス３５を保持する。
【００２４】
図１及び図２に示すように、上框３２は、内倒し窓１の上部で水平方向に延び、上枠２２の下部に配置される。上框３２は、室内側上縁部３２１及び室外側上縁部３２２を有する。
【００２５】
室内側上縁部３２１は、上框３２の室内側に配置される部分である。室内側上縁部３２１は、見付方向に長く延び、断面視略四角形で内部が中空に形成される。室内側上縁部３２１の室内側面は平坦である。
【００２６】
室外側上縁部３２２は、上框３２の室外側に配置される部分である。室外側上縁部３２２は、下方に向かって開放された凹部で形成されるガラス保持溝３６を有する。室外側上縁部３２２の上部には、上方に向かって延びる突起部３２２ａが設けられており、上枠２２の室内側延出片２２ａの下端部に取り付けられた第１気密材６１が当接する。また、室外側上縁部３２２の最も室外側の端部には、上枠２２の室外側延出片２２ｂの下端部に取り付けられた第２気密材６２が当接する。
【００２７】
下框３３は、内倒し窓１の下部で水平方向に延び、下枠２３の上部に配置される。下框３３は、下押縁部３３１、室外側下縁部３３２、下框中空部３３３及びヒンジ部３３４を有する。
【００２８】
下押縁部３３１は、見付方向に長く延び、上框３２の室内側上縁部３２１に対応する見付方向の長さ及び見込方向の奥行を有する。下押縁部３３１は、その室外側面が、ガラス保持溝３６に対面するように配置される。
【００２９】
室外側下縁部３３２は、下框３３の室外側に配置される部分である。室外側下縁部３３２は、上方に開放された凹部で形成されるガラス保持溝３６を有する。室外側下縁部３３２の室外側面は、平坦な面が下垂するように形成され、その下端部が下枠２３の室外側垂壁部２３３の下端部との間に隙間Ｓを有するように配置されている。この隙間からは、内倒し窓１内に進入した水等が排水される。
【００３０】
下框中空部３３３は、下押縁部３３１及び室外側下縁部３３２の下方で、下押縁部３３１及び室外側下縁部３３２の境界部に跨って配置される中空の部分である。下框中空部３３３の室外側の端部は、下枠２３の室外側垂壁部２３３の上端部と対向し、室外側垂壁部２３３に取り付けられた第５気密材６５が当接する。
【００３１】
ヒンジ部３３４は、下框中空部３３３の室内側の端部に設けられる断面視半円形の凹部３３４ａと、凹部の室内側の端部から室外側に向かって平坦に延びる爪部３４３ｂとを有する。ヒンジ部３３４は、見付方向に延び、下枠２３から上方に延び凹部３３４ａ内に嵌め込まれる支軸部２３２に係合して、障子３が室内外に回動する際の回動支点となる。
【００３２】
図３に示すように、一対の縦框３１は、框３０の見付方向の両側で上下方向に延びる部分である。縦框３１は、縦押縁部３１１と、室外側側縁部３１２と、中空部３１３と、を有する。
【００３３】
縦押縁部３１１は、上下方向に長く延び、上框３２の室内側上縁部３２１及び下框３３の下押縁部３３１に対応する見込方向の奥行を有する。
【００３４】
室外側側縁部３１２は、縦押縁部３１１の室外側に形成され、見付方向の内側に開放された凹部で形成されるガラス保持溝３６を有する。図３に示すように、室外側側縁部３１２の室外側面の見付方向外側の端部には、縦枠２１の室外側見付面２１２の見付方向の内側の端部に取り付けられた第３気密材６３が当接している。
【００３５】
中空部３１３は、縦枠２１におけるガラス保持溝３６の見付方向外側、詳細には、縦押縁部３１１及び室外側側縁部３１２の見付方向の外側面に配置される。中空部３１３は、縦押縁部３１１及び室外側側縁部３１２の境界部に跨って配置される中空の部分である。中空部３１３は、横断面視で見込方向に長い長方形に形成され、中空部外側面３１３ａと、突起部３１３ｂと、室外側見付面３１３ｃと、を有する。
【００３６】
中空部外側面３１３ａは、中空部３１３の見付方向外側で、見込方向に延びる。この中空部外側面３１３ａには、後述する開閉アーム４が取り付けられる。
【００３７】
突起部３１３ｂは、中空部３１３の見付方向内側の側面、すなわち中空部外側面３１３ａに対向する内側の側面に、室内側と室外側に形成される。各突起部３１３ｂは、見付方向内側に向かって突出した後、見込方向室外側、室内側それぞれに向かって屈曲する。突起部３１３ｂは、縦押縁部３１１の端部が係合することで、縦押縁部３１１が中空部３１３及び室外側側縁部３１２と連結される。
【００３８】
室外側見付面３１３ｃは、中空部３１３の見込方向室外側に延びる短手方向の側縁である。室外側見付面３１３ｃに対して、縦枠２１の室外側延出片２１３の室内側に取り付けられる第４気密材６４が当接している。室外側見付面３１３ｃは、図３に示すように、ガラス３５の室外側ガラス３５ａと室内側ガラス３５ｂの間の位置から見付方向外側に離間した位置に配置されている。
【００３９】
気密材６は、上述の通り、第１気密材６１、第２気密材６２、第３気密材６３、第４気密材６４及び第５気密材６５を含む。これら各気密材６１〜６５は、図２及び図３に示すように、それぞれガラス保持溝３６の室内側の端部よりも室外側に位置し、縦枠２１の見付方向の両側に配置される気密材６（第３気密材６３同士、第４気密材６４同士）を結んで形成される気密ラインを形成している。気密材６は、上述の通り、枠体２及び障子３の間に配置され、枠体２と障子３との隙間を封止するゴム等の可撓性部材により形成される。
【００４０】
第１気密材６１は、図２に示すように、上枠２２の室内側延出片２２ａの下端部に係止される係止部６１ａと、上框３２の室外側上縁部３２２の突起部３２２ａに当接する当接部６１ｂとを有する。
第５気密材６５は、下枠２３の室外側垂壁部２３３の上端部に係止される係止部６５ａと、下框３３の下框中空部３３３の室外側の端部に当接する当接部６５ｂとを有する。第１気密材６１及び第５気密材６５は、水滴とともに内倒し窓１内を室内外方向に流通する空気を封止する気密材である。
【００４１】
第２気密材６２は、上枠２２の室外側延出片２２ｂの下端部に係止される係止部６２ａと、係止部６２ａから上框３２の室外側上縁部３２２の最も室外側に位置する端部まで延びるヒレ部６２ｂを有する。
第３気密材６３は、図３に示すように、縦枠２１の室外側見付面２１２の室内側面に係止される係止部６３ａと、係止部６３ａから縦框３１の室外側側縁部３１２の最も室外側に位置する端部まで延びるヒレ部６３ｂを有する。第２気密材６２及び第３気密材６３は、室外からの水の侵入を防止する水切材である。
【００４２】
第４気密材６４は、縦枠２１の室外側延出片２１３の室内側面に係止される係止部６４ａと、係止部６４ａから縦框３１の中空部３１３の室外側見付面３１３ｃに当接する当接部６４ｂとを有する。第３気密材６３及び第４気密材６４は、見込方向に重なる位置に位置しており、ともに開閉アーム４の移動軌跡に干渉せず開閉アーム４よりも室内側に位置している。
【００４３】
図４（ａ）は気密ピース６０の斜視図であり、図４（ｂ）は、気密ピース６０の側面図であり、図４（ｃ）は、気密ピース６０の正面図である。気密ピース６０はゴム等の弾性部材で形成され、下押縁部３３１と室外側下縁部３３２内のガラス保持溝３６との間に配置される。
【００４４】
気密ピース６０は、図４（ａ）〜図４（ｃ）に示すように、正面視で略長方形で、背面６０２が平坦な面で、表面６０１に傾斜及び段差が形成された部品である。
詳細には、図４（ｂ）に示すように、気密ピース６０の短手方向の一方の端部から中央部側に向かって傾斜面６０１ａが形成され、傾斜面６０１ａの他方の端部から背面６０２と平行な平坦面６０１ｂが延出し、気密ピース６０の短手方向の他方の端部側は四角く切り欠かれた切欠き部６０１ｃが形成されている。
【００４５】
図３に示すように、気密ピース６０の切欠き部６０１ｃは、中空部３１３から突出する突起部３１３ｂが屈曲することで形成される突起部３１３ｂの端部と中空部３１３の見込面との間に嵌り込んで設置される。このとき、平坦面６０１ｂは、突起部３１３ｂの見付方向内側の面と面一となり、縦押縁部３１１の室外側端部が配置される位置まで延びる。気密ピース６０は、縦押縁部３１１と、室外側側縁部３１２及び中空部３１３との間の隙間に圧入される。
【００４６】
開閉アーム４は、気密材６よりも室内側に配置されて、枠体２から障子３を室内側方向に傾斜させながら開閉させる金具である。開閉アーム４は、障子側連結部４１０と、アーム本体４００と、枠体側取付部４２０と、を有する。
障子側連結部４１０は、中空部３１３の中空部外側面３１３ａに取り付けられる。
アーム本体４００は、一端が障子側連結部４１０と回動可能に連結され、見付方向室内側に移動可能な細長い部材である。
枠体側取付部４２０は、枠体２の外側見込面２１１における内面側で、見込方向の中央部に取り付けられる。枠体側取付部４２０は、見付け方向に延びる軸部４２１を有し、軸部４２１が回動可能にアーム本体４００の他端に接続される。
アーム本体４００は、障子３を閉じている間は、長手方向が縦枠２１の長手方向に沿うように位置している。開閉アーム４は、障子３を開くにしたがって一端が枠体側取付部４２０から遠ざかるように見込方向室内側へ傾斜する。
【００４７】
図１に戻って、ラッチ機構５は、内倒し窓１の上部における見付方向の中央部に配置され、上框３２を枠体２に係止させる。ラッチ機構５は、係合受け部５１と、ラッチ部５０とにより構成される。以下の説明では、ラッチ機構５を構成する部品を、ラッチ機構５が上枠２２内に配置された状態の位置関係によって説明する。
【００４８】
図５（ａ）はラッチ機構５の施錠時を示す模式図であり、図５（ｂ）はラッチ機構５が解除された状態を示す図である。
図５（ａ）及び図５（ｂ）に示すように、係合受け部５１は、上枠２２の下端面に取り付けられる。係合受け部５１は、取付部５１１と、係合部５１２と、係合孔５１３とを有する。
【００４９】
取付部５１１は、平坦な面にねじ孔が設けられた面状の部分である。取付部５１１は、上枠２２の下端面に当接してねじにより固定される。
【００５０】
係合部５１２は、取付部５１１から下方に突出して、内部に中空の空間を形成する部分である。係合部５１２は、障子３を閉じたときに、以下に説明するラッチ部５０の爪部５５１が係合部５１２内部に係止できるように上枠２２の下端面から離間している。
【００５１】
係合孔５１３は、係合部５１２の下端面に形成される孔であり、ラッチ部５０の爪部５５１が挿通して係止する。
【００５２】
ラッチ部５０は、上框３２の見込方向の室内側で、上框３２の内部に配置される。ラッチ部５０は、ハウジング５２と、操作部５３と、リンク部５４と、突出部５５と、を有する。ラッチ部５０は、枠体２に対して障子３を係合させるとともに、この係合を解除する操作を行う部分である。
【００５３】
ハウジング５２は、上枠２２の内部に配置される略六面体の箱形状を有し、内部に部品を収納可能な中空部が形成されている。ハウジング５２は、互いに連結される上部ハウジング５２１及び下部ハウジング５２２を有する。
【００５４】
上部ハウジング５２１は、ハウジング５２の蓋のように上部に配置される。上部ハウジング５２１は、上面開口部５２１ａと、上部係合壁部５２３ａと、上部ハウジング係合部５２４ａと、を有する。
【００５５】
上面開口部５２１ａは、上部ハウジング５２１の上面に形成される開口部である。上面開口部５２１ａは、以下に説明する突出部５５が上部ハウジング５２１の上面から突出可能に形成された貫通孔である。
【００５６】
上部係合壁部５２３ａは、図５（ａ）及び図５（ｂ）に示すように、上部ハウジング５２１の見付方向の両端側の側面における室外側が下方に延出した部分である。
【００５７】
上部ハウジング係合部５２４ａは、上部係合壁部５２３ａから下方に突出し、室外側に屈曲する突起である。
【００５８】
下部ハウジング５２２は、ハウジング５２の下部に配置される。下部ハウジング５２２は、下面開口部５２５と、周縁リブ５２６と、円弧内壁部５２７と、軸挿通孔５２８と、下部係合壁部５２３ｂと、下部ハウジング係合孔５２４ｂと、を有する。
【００５９】
下面開口部５２５は、下部ハウジング５２２の下方の面に形成された開口部である。下面開口部５２５は、使用者の指が挿通可能な程度の大きさを有する。
【００６０】
周縁リブ５２６は、下面開口部５２５の周縁に形成され、下面開口部５２５から内側に向かって延出する幅の狭い突出部である。
【００６１】
円弧内壁部５２７は、図５（ａ）及び図５（ｂ）に示すように、側面視で円弧状に形成され、下部ハウジング５２２内における室内側の側壁の下端部から上方に向かって湾曲する。
【００６２】
軸挿通孔５３８は、下部ハウジング５２２の室外側の側面の下端部近傍に形成される貫通孔である。軸挿通孔５２８は、見付方向の一方及び他方に対向して配置されている。
【００６３】
下部係合壁部５２３ｂは、上部係合壁部５２３ａと互い違いに位置するように、下部ハウジング５２２の下方から上部係合壁部５２３ａの室内側で、上方に延出する部分である。下部係合壁部５２３ｂの室外側の端部は、円弧内壁部５２７の円弧の室内側の端部から室外側に下り傾斜する。
【００６４】
下部ハウジング係合孔５２４ｂは、上部ハウジング係合部５２４ａが嵌合可能な孔である。下部ハウジング係合孔５２４ｂは、下部ハウジング５２２の見付方向両端部側の側壁における室外側の上部に配置される。
【００６５】
操作部５３は、下部ハウジング５２２内に配置され、下部ハウジング５２２内で回動可能に取り付けられる板ばねである。操作部５３は、框３０の室内側の見込面（上框３２の下面）に配置される。操作部５３は、軸部５３１と、リンク突起５３２と、板状部５３３とを有する。
【００６６】
軸部５３１は、下部ハウジング５２２に連結される円筒状の部分であり、両端部が下部ハウジング５２２の軸挿通孔５３８に挿通されて、操作部５３を回動可能に支持する。
【００６７】
リンク突起５３２は、軸部５３１から下部ハウジング５２２内部に向かって離間した位置で、軸部５３１と平行する方向に突出する略円筒状の小さな突起である。リンク突起５３２は、以下に説明するリンク部５４に係合する。
【００６８】
板状部５３３は、軸部５３１から室内側に向かって延びる板状の部分である。板状部５３３の見込方向の寸法は、下部ハウジング５２２における円弧内壁部５２７の半径の寸法に対応する。すなわち、板状部５３３は、軸部５３１を支点として円弧内壁部５２７の内周面を摺動する。図５（ａ）に示すように、板状部５３３は、ロックされた状態では、下部ハウジング５２２の下面開口部５２５を塞ぎ、板状部５３３の周囲が周縁リブ５２６に支持されることで、下面開口部５２５より下方に落ちないようになっている。
【００６９】
リンク部５４は、側面視で略Ｌ字型に屈曲し、長辺部５４ａと、短辺部５４ｂと、長孔５４１と、ラッチ切欠部５４２ａ、５４２ｂと、を有する。
長辺部５４ａは、図５（ａ）に示すように、操作部５３のリンク突起５３２が係合し、ハウジング５２の上下方向に延びるように配置される。
長孔５４１は、長辺部５４ａに形成され、内部をリンク突起５３２が移動する。
短辺部５４ｂは、長辺部５４ａの上端が屈曲して室内側に延出する部分である。短辺部５４ｂは長辺部５４ａに対して鋭角を形成しながら屈曲している。
ラッチ切欠部５４２ａ、５４２ｂは、短辺部５４ｂの室内側（ラッチ切欠部５４２ａ）と室外側（ラッチ切欠部５４２ｂ）の周縁が内側に切り込まれて形成される。ラッチ切欠部５４２ａ、５４２ｂは、以下に説明するラッチ係合突起５５２ａ、５５２ｂの外径が嵌合可能な幅を有する。
【００７０】
突出部５５は、側面視略三角形に形成され、係合受け部５１の係合孔５１３に係合可能な部品である。突出部５５は、爪部５５１と、ラッチ係合突起５５２ａ、５５２ｂと、を有する。
爪部５５１は、突出部５５の三角形の一つの角部であり、施錠時には上部ハウジング５２１の上面開口部５２１ａから突出して係合受け部５１に係合する。爪部５５１は、突出する角の部分が室内側に寄っており、頂部から室外側が緩い傾斜で延び、頂部から室内側が急斜面で下方に延びている。
ラッチ係合突起５５２ａ、５５２ｂは、突出部５５の三角形の他の２つの角の近傍に配置され、見付方向に突出する略円筒状の突起である。室内側のラッチ係合突起５５２ａと、室外側のラッチ係合突起５５２ｂとは、突出部５５の下方側で略水平方向に並んで配置されている。ラッチ係合突起５５２ａ、５５２ｂは、それぞれラッチ切欠部５４２ａ、５４２ｂに係合する。
【００７１】
ラッチ部５０の動きについて説明する。
図５（ａ）に示すように、施錠時には、操作部５３が下部ハウジング５２２の下面開口部５２５を塞いでいる。操作部５３のリンク突起５３２は、リンク部５４の長孔５４１の下端に位置している。リンク突起５３２は、ハウジング５２内の見込方向における略中央部に配置され、リンク部５４の長辺部５４ａは、室外側にやや傾斜するようにして上方に延びる。
【００７２】
リンク部５４のラッチ切欠部５４２ａ、５４２ｂが突出部５５のラッチ係合突起５５２ａ、５５２ｂに係合した状態で、突出部５５の爪部５５１は、上部ハウジング５２１の上面開口部５２１ａから上方に突出し、係合受け部５１の係合孔５１３に係合する。この状態で障子３が枠体２に対して係止され、ロックされるので、障子３が内側に倒れてくることはない。
【００７３】
内倒し窓１の使用者が、内倒し窓１を開けるときは、ラッチ部５０を上框３２の外側から押し込み操作により操作する。具体的には、使用者は、指で操作部５３を下側から上方に向かって押す。すると、操作部５３は、軸部５３１を軸として回転し、下部ハウジング５２２の円弧内壁部５２７を摺動しながら上方に移動する。この移動と同時に、使用者の指が下部ハウジング５２２内に入っていく。操作部５３は、円弧内壁部５２７を回動して、上部ハウジング５２１の上部係合壁部５２３ａに向かい合うところで停止する。
【００７４】
操作部５３の板状部５３３が上方に回動するにしたがって、操作部５３のリンク突起５３２がリンク部５４の長孔５４１内を上方に移動する。すると、リンク部５４は、リンク突起５３２の移動に伴って上下方向に真直ぐな（略鉛直方向を向く）姿勢をとるようになり、ハウジング５２の室外側の側面に沿うように起立する。リンク部５４が上下方向に直立するような姿勢をとると、短辺部５４ｂは、長辺部５４ａに対して鋭角で屈曲しているので、室内側のラッチ切欠部５４２ａはやや下方に下がり、ラッチ切欠部５４２ａ、５４２ｂは、室外側から室内側に向かって下方に傾く。この動作により、突出部５５における爪部５５１が、リンク部５４の動きに伴って下方に下がり、係合孔５１３から外れる。このように、操作部５３を上框３２の外側から押し込み操作により操作することで、枠体２に対する障子３の係合が解除される。
【００７５】
図５（ｂ）に示すように、操作部５３が上框３２内に押し込み操作された状態で、ラッチ部５０の下部ハウジング５２２の内部には、凹部５６が形成される。凹部５６は、上框３２の室外側面に対向する見付面を有し、この見付面は円弧内壁部５２７により形成される。使用者は、凹部５６に指を入れて円弧内壁部５２７に手指を掛け、室内側へ向けて円弧内壁部５２７を押すと、障子３を内側に倒すことができる。
【００７６】
本実施形態によれば、以下の効果が奏される。
本実施形態では、枠体２と、室内側に開閉するように枠体２の内周側に保持された障子３と、を有する内倒し窓１を、障子３の框３０を枠体２に係合させるラッチ機構５を含んで構成した。また、ラッチ機構５を、枠体２に対する障子３の係合を解除する操作部５３を含んで構成し、操作部５３を、框３０の室内側見込面に配置し、框３０の外側から押し込み操作により操作されて、係合を解除するようにした。このため、内倒し窓１を設置した室内側から見た際に、ラッチ機構５の操作部５３が視認されず、枠体２と框３０の枠のみが見えるので、すっきりとした外観が得られ、意匠性が向上する。
【００７７】
本実施形態では、ラッチ機構５に、押し込み操作をされた状態で、框３０の室外側面に対向する見付面を有する凹部５６を形成した。操作部５３が押し込み操作されると、円弧内壁部５２７が上框３２の室外側に対向する見付面となって、円弧内壁部５２７の室外側に凹部５６が形成される。このため、円弧内壁部５２７に手指をかけることができ、ラッチ機構５に取手等の操作部を構成する部品を別途設ける必要がない。よって、部品点数が減少し、施工性も向上する。
【００７８】
本実施形態では、建具を内倒し窓１により構成した。これにより、内倒し窓１の室内側からの意匠性を向上させることができる。
【００７９】
以上、本発明の好ましい実施形態について説明したが、本発明は、上述の実施形態に制限されるものではなく、適宜変更が可能である。
例えば、上記実施形態では、建具を内倒し窓として説明したが、これに限られない。建具は、内開き窓であってもよく、排煙内倒し窓であってもよい。また、連結金具は、開閉アームに限られず、丁番やダンパであってもよい。
【符号の説明】
【００８０】
１  内倒し窓（建具）
２  枠体
３  障子
５  ラッチ機構
５３  操作部
５６  凹部
【図１】
2019157596.tif 000003
【図２】
2019157596.tif 000004
【図３】
2019157596.tif 000005
【図４】
2019157596.tif 000006
【図５】
2019157596.tif 000007